(57)【要約】本発明は、連続的シーンに対応し、符合化ビットストリームのコンテンツの要素全てを認識し且つ復号化することを復号化側において可能にするビットストリーム構文により各々のデータアイテムを記述する符合化ビットストリームを生成する映像シーケンスに適用される符合化方法に関する。本発明に従って、前記構文は前記ビットストリームのコンテンツを記述するために遭遇することができる種々の付加チャネルの存在又は非存在を前記ビットストリームにおける高度記述レベルにおいて表す特定情報を有する。特定情報の幾つかの例を提供する。
2005522116.tif 000002
【特許請求の範囲】
【請求項１】
連続的映像対象物平面（ＶＯＰ）に副分割された連続的シーンに対応し、前記シーンの映像対象物全てを符合化するために、ビットストリームのコンテンツの要素全てを認識し且つ復号化することを可能にするビットストリーム構文により各々のデータアイテムが表される符合化映像データから構成される符合化ビットストリームを生成し、前記コンテンツは分離したチャネルについて表される、映像シーケンスに適用される符合化方法であって：
前記ビットストリームのコンテンツを記述するために遭遇することができる種々の付加チャネルが存在する又は存在しない前記符合化ビットストリームにおける高度記述レベルにおいて表される特定情報を前記構文が有する；
ことを更に特徴とする符合化方法。
【請求項２】
請求項１に記載の方法であって、前記特定情報は：
ｖｉｄｅｏ＿ｏｂｊｅｃｔ＿ｌａｙｅｒ＿ｓｈａｐｅ            １ビット；
ｎｕｍｂｅｒ＿ｏｆ＿ｖｉｄｅｏ＿ｏｂｊｅｃｔ＿ｌａｙｅｒ＿ａｄｄｉｔｉｏｎａｌ＿ｃｈａｎｎｅｌ＿ｄｅｓｃｒｉｐｔｉｏｎｓ：              ｎビット；及び
ｖｉｄｅｏ＿ｏｂｊｅｃｔ＿ｌａｙｅｒ＿ａｄｄｉｔｉｏｎａｌ＿ｃｈａｎｎｅｌｓ［ｉ］                                                      １ビット；
を有する付加構文要素を有し、
第１要素は、そのとき復号化される必要がある形状又は輪郭が存在するか否かを表し、第２要素は、前記ビットストリームのコンテンツを記述するように、符合化ビットストリームにおいて存在する付加チャネル構文要素の数を表し、そして、第３要素は、ｉが０と２ｎ−１との間の値をとるような値［ｉ］によりアドレスされるチャネルが存在するか否かを表す；
ことを特徴とする符合化方法。  
【請求項３】
請求項１に記載の方法であって、前記特定情報は：
ｖｉｄｅｏ＿ｏｂｊｅｃｔ＿ｌａｙｅｒ＿ｓｈａｐｅ            １ビット；
ｎｕｍｂｅｒ＿ｏｆ＿ｖｉｄｅｏ＿ｏｂｊｅｃｔ＿ｌａｙｅｒ＿ａｄｄｉｔｉｏｎａｌ＿ｃｈａｎｎｅｌ＿ｐｒｅｓｅｎｃｅ：                      ｎビット；及び
ｖｉｄｅｏ＿ｏｂｊｅｃｔ＿ｌａｙｅｒ＿ａｄｄｉｔｉｏｎａｌ＿ｃｈａｎｎｅｌｓ［ｉ］                                                      １ビット；
を有する付加構文要素を有し、
第１要素は、そのとき復号化される必要がある形状又は輪郭が存在するか否かを表し、第２要素は、符合化ビットストリームに存在する付加チャネル構文要素の数を表し、そして、第３要素は、ｉが０と２ｎ−１との間の値をとるような値［ｉ］によりアドレスされるチャネルが存在するか否かを表す；
ことを特徴とする符合化方法。  
【請求項４】
請求項１に記載の方法であって、前記特定情報は：
ｖｉｄｅｏ＿ｏｂｊｅｃｔ＿ｌａｙｅｒ＿ｓｈａｐｅ            １ビット；
及び
ｖｉｄｅｏ＿ｏｂｊｅｃｔ＿ｌａｙｅｒ＿ａｄｄｉｔｉｏｎａｌ＿ｃｈａｎｎｅｌ［ｉ］    １ビット、０＜＝ｉ＜＝２ｎ−１
を有する付加構文要素を有し、
第１要素は、そのとき復号化される必要がある形状又は輪郭が存在するか否かを表し、第２要素は、ｉが０と２ｎ−１との間の値をとるような値［ｉ］によりアドレスされるチャネルが存在するか否かを表す；
ことを特徴とする符合化方法。
【請求項５】
請求項２乃至４のいずれ一項に記載の方法であって、ｖｉｄｅｏ＿ｏｂｊｅｃｔ＿ｌａｙｅｒ＿ｓｈａｐｅ構文要素は前記ビットストリームにおいて提供されない、ことを特徴とする符合化方法。
【請求項６】
連続的な映像対象物平面（ＶＯＰ）に副分割される連続的シーンに対応する映像シーケンスを符合化するための装置であって：
映像対象物（ＶＯ）の構成要素として前記シーケンスの各々のシーンを構成するための手段；及び
前記ＶＯの各々の形状、動き及びテクスチャを符合化するための手段；
前記ビットストリームのコンテンツの要素全てを認識し且つ復号化することを可能にするビットストリーム構文により各々のデータアイテムが記述される符合化映像データを有する単一符合化ビットストリームにおいて得られる、符合化基本ストリームを多重化するための手段；
を有する装置であって、
前記コンテンツは分離したチャネルについて記述され、前記装置は前記ビットストリームのコンテンツを記述するために遭遇することができる種々の付加チャネルの存在を前記符合化ビットストリームの高度記述レベルにおいて表す特定情報を前記符合化ビットストリームに導入するための手段を有するか否かを更に特徴付ける；
ことを特徴とする装置。
【請求項７】
連続的な映像対象物平面（ＶＯＰ）に副分割される連続的シーンに対応するシーケンスに適用される符合化方法により生成される符合化ビットストリームを有する伝送可能映像信号であって：
前記シーンの映像対象物全てを符合化するために生成される前記符合化ビットストリームは、前記ビットストリームのコンテンツの要素全てを認識し且つ復号化することが可能であるビットストリーム構文により各々のデータアイテムが記述される符合化映像データを有し、前記コンテンツは分離したチャネルについて記述され、前記信号は、前記符合化ビットストリームが又この符合化ビットストリームにおける高度記述レベルにおいて前記ビットストリームのコンテンツを記述するために遭遇することができる種々の付加チャネルの存在を表す特定の情報を有するか否かを更に特徴付ける；
ことを特徴とする伝送可能映像信号。
【請求項８】
連続的な映像対象物平面（ＶＯＰ）に副分割される連続的シーンに対応する映像シーケンスに適用される符合化方法により生成される符合化ビットストリームを有する映像信号を受信し且つ復号化するための装置であって：
前記シーンの映像対象物全てを符合化するために生成される前記符合化ビットストリームは、前記ビットストリームのコンテンツの要素全てを認識し且つ復号化することを可能にするビットストリーム構文により各々のデータアイテムが記述される符合化映像データを有し、前記コンテンツは分離したチャネルについて記述され、前記符号化ビットストリームは、前記ビットストリームのコンテンツを記述するために遭遇することができる種々の付加チャネルの存在をこの符合化ビットストリームにおける高度記述レベルにおいて表す特定の情報を更に有する；
ことを特徴とする装置。
【発明の詳細な説明】
【技術分野】
【０００１】
本発明は、映像圧縮の分野に関し、例えば、一群のＭＰＥＧ（ＭＰＥＧ−１、ＭＰＥＧ−２、ＭＰＥＧ−４）及び一群のIＩＴＵ−Ｈ．２６Ｘ（Ｈ．２６１Ｈ．、２６３Ｈ．及び拡張子、２６Ｌ）の映像符合化規格に関する。更に詳細には、本発明は、連続的映像対象物平面（ＶＯＰ）に副分割された連続的シーンに対応し、前記シーンの映像対象物全てを符合化するために、ビットストリームのコンテンツの要素全てを認識し且つ復号化することを可能にするビットストリーム構文により各々のデータアイテムが表される符合化映像データから構成される符合化ビットストリームを生成し、前記コンテンツは分離したチャネルについて表される、映像シーケンスに適用される符合化方法に関する。
【０００２】
本発明は又、対応する符合化装置、そのような符合化装置により生成された符合化ビットストリームを有する伝送可能な映像信号、及びそのような符合化ビットストリームを有する映像信号を受信し且つ復号化するための装置に関する。
【背景技術】
【０００３】
第１映像符合化規格（ＭＰＥＧ−２及びＨ.２６３まで）において、映像は矩形状であり、１つの輝度チャネルと２つのクロミナンスチャネルについて表されることが仮定された。ＭＰＥＧ−４を用いる場合、他のチャンネルであって、映像対象物の輪郭を表すためのアルファチャネル（又、ＭＰＥＧ−４用語において“任意形状チャネル”と呼ばれる）と、ＭＰＥＧ−４の後継バージョンにおける、深度、ディスパリティ又は透明度のような定数の伝送を可能にする付加チャネルとを導入した。ディスパリティチャネルは、コンテンツの２つの表示が必要とされるアプリケーションのために用いられ、それ故、立体的表示が可能である装置において前記コンテンツを表示することができる。透明度チャネルは、重ね合わされることが可能である異なる対象物から構成されるコンテンツに対して必要とされる（対象物に対する透明度チャネルは不透明とすることが可能であり、それ故、対象物のテクスチャは他の対象物のテクスチャに上書きされ、又は半透明とすることが可能であり、表示におけるテクスチャは対象物のテクスチャとの混合から得られる）。
【０００４】
ＭＰＥＧ−４文書ｗ３０５６、“Ｉｎｆｏｒｍａｔｉｏｎ  Ｔｅｃｈｎｏｌｏｇｙ−Ｃｏｄｉｎｇ  ｏｆ  ａｕｄｉｏ−ｖｉｓｕａｌ  ｏｂｊｅｃｔｓ−Ｐａｒｔ  ２：Ｖｉｓｕａｌ”
において規定されているように、ＩＳＯ／ＩＥＣ／ＪＴＣ１／ＳＣ２９／ＷＧ１１，Ｍａｕｉ，ＵＳＡ，Ｄｅｃｅｍｂｅｒ  １９９９，ｐａｒｔ６．２．３  Ｖｉｄｅｏ  Ｏｂｊｅｃｔ  Ｌａｙｅｒ、即ち、シーケンスの透明度、ディスパリティ又は深度のような付加チャネルを表すための唯一の方法（ＭＰＥＧ−４における）は構文要素“Ｖｉｄｅｏ＿ｏｂｊｅｃｔ＿ｌａｙｅｒ＿ｓｈａｐｅ＿ｅｘｔｅｎｓｉｏｎ”を用いることである。前記要素により付加チャネルの符合化を支援するために、ＭＰＥＧ−４により提供される構文及び意味論は、上記文書ｗ３０５６の３５乃至３６ページ及び１１０乃至１１２ページにおいて、次のように与えられる。
（ａ）“ｖｉｄｅｏ＿ｏｂｊｅｃｔ＿ｌａｙｅｒ＿ｖｅｒｉｄ”：この４ビット符号は、表６乃至１１において規定され、映像対象物レイヤのバージョンタイプを特定する。
（ｂ）“ｖｉｄｅｏ＿ｏｂｊｅｃｔ＿ｌａｙｅｒ＿ｓｈａｐｅ”：この２ビット符号は、表６乃至１４において規定され、映像対象物レイヤの形状タイプを特定する。
（ｃ）“ｖｉｄｅｏ＿ｏｂｊｅｃｔ＿ｌａｙｅｒ＿ｓｈａｐｅ＿ｅｘｔｅｎｓｉｏｎ”：この４ビット符号は、表Ｖ２−１において規定され、用いることができる補助構成要素のタイプと数（最大３つ）を特定し、ユーザ定義タイプの選択により更なるアプリケーションが可能である）。
【０００５】
これらの構文及び意味論は、付加チャネルの伝送の支援が形状を有する対象物に対してのみ提供される、ことを示している。輝度チャネル及びクロミナンスチャネルと矩形状対象物のディスパリティのような１つの付加チャネルを伝送することを希望する場合、実際には、符合化効率についてＭＰＥＧ−４が、どれ位、最適状態に近いかについて説明することがｄｅｋｉｒｕ．ＭＰＥＧ４において、矩形状の対象物（符号“ｖｉｄｅｏ＿ｏｂｊｅｃｔ＿ｌａｙｅｒ＿ｓｈａｐｅ”は００に等しいため、実際に矩形状であるとして知られている）の記載は、幅及び高さについて矩形状であるサイズを伝送する必要がある。この記載は、映像対象物レイヤ構文（上記文書の３６ページの第２５から３０行までの６行参照）に記載されており、３１ビットを必要とする。ＭＰＥＧ−４構文を有する矩形状対象物のディスパリティチャネル又は深度チャネルのような付加チャネルを伝送することを希望する場合、“ｖｉｄｅｏ＿ｏｂｊｅｃｔ＿ｌａｙｅｒ＿ｓｈａｐｅ”を１１（階調）に設定することにより非矩形としてこの対象物を宣言する方法があるにほかならない。一旦、対象物が階調であるとして宣言される（それは矩形であるが）と、構文は、対象物の形状を表すビットを送信することを強いられ、このことは、その文書であって、５２ページのマクロブロックについての６．２．６節の表の１乃至６行及び５６ページのＭＢバイナリ形状符合化についての６．２．６．１項の表の１乃至５行に記載されている構文に従ったマクロブロックレベルにおいて実行される。その文書の１２８ないし１２９ページに示されているように、ｂａｂ＿ｔｙｐｅは、１乃至７ビットの間で構成される可変長符号であり且つ１６ｘ１６画素のバイナリアルファブロックに対して用いられる符合化モードを表すために提供され、７つのｂａｂ＿ｔｙｐｅは表６−２６に記載されている。そのような記載は、例えば、ＣＩＦピクチャに対して、フレーム当たり少なくとも３９６ビット（マクロブロック当たり少なくとも１ビット）の消耗に導く。２５ＨｚのＣＩＦシーケンスに対して、オーバーヘッドは９．９ｋｂｉｔ／ｓｅｃと見積もられる。
【発明の開示】
【発明が解決しようとする課題】
【０００６】
従って、本発明の目的は、このようなビットの消耗を回避し、それ故、符合化効率を改善することを可能にする映像符合化方法を提供することである。
【課題を解決するための手段】
【０００７】
この目的を達成するために、本発明は、本明細書の冒頭で説明したような方法であって、前記構文がビットストリームのコンテンツを記述するために遭遇することができる種々のチャネルの存在をビットストリームにおける高度記述レベルにおいて表す特定の情報を有するかどうかの点で更に特徴付けられる。
【０００８】
好適には、前記特定の情報は、次のような付加構文要素であって：
ｖｉｄｅｏ＿ｏｂｊｅｃｔ＿ｌａｙｅｒ＿ｓｈａｐｅ            １ビット
ｎｕｍｂｅｒ＿ｏｆ＿ｖｉｄｅｏ＿ｏｂｊｅｃｔ＿ｌａｙｅｒ＿ａｄｄｉｔｉｏｎａｌ＿ｃｈａｎｎｅｌ＿ｄｅｓｃｒｉｐｔｉｏｎｓ：              ｎビット
ｖｉｄｅｏ＿ｏｂｊｅｃｔ＿ｌａｙｅｒ＿ａｄｄｉｔｉｏｎａｌ＿ｃｈａｎｎｅｌｓ［ｉ］                                                      １ビット
を有し、第１要素は、そのとき復号化される必要がある形状又は輪郭が存在するか否かを表し、第２要素は、前記ビットストリームのコンテンツを記述するように、符合化ビットストリームにおいて存在する付加チャネル構文要素の数を表し、そして、第３要素は、ｉが０と２ｎ−１との間の値をとるような値［ｉ］によりアドレスされるチャネルが存在するか否かを表す。
【０００９】
本発明の他の実施形態においては、前記特定の情報は次のような付加構文要素であって：
ｖｉｄｅｏ＿ｏｂｊｅｃｔ＿ｌａｙｅｒ＿ｓｈａｐｅ            １ビット
ｎｕｍｂｅｒ＿ｏｆ＿ｖｉｄｅｏ＿ｏｂｊｅｃｔ＿ｌａｙｅｒ＿ａｄｄｉｔｉｏｎａｌ＿ｃｈａｎｎｅｌ＿ｐｒｅｓｅｎｃｅ                        ｎビット
ｖｉｄｅｏ＿ｏｂｊｅｃｔ＿ｌａｙｅｒ＿ａｄｄｉｔｉｏｎａｌ＿ｃｈａｎｎｅｌｓ［ｉ］                                                      １ビット
を有し、第１要素は、そのとき復号化される必要がある形状又は輪郭が存在するか否かを表し、第２要素は、符合化ビットストリームに存在する付加チャネル構文要素の数を表し、そして、第３要素は、ｉが０と２ｎ−１との間の値をとるような値［ｉ］によりアドレスされるチャネルが存在するか否かを表す。
【００１０】
第３の実施形態においては、前記特定の情報は次のような付加構文要素であって：
ｖｉｄｅｏ＿ｏｂｊｅｃｔ＿ｌａｙｅｒ＿ｓｈａｐｅ            １ビット
ｖｉｄｅｏ＿ｏｂｊｅｃｔ＿ｌａｙｅｒ＿ａｄｄｉｔｉｏｎａｌ＿ｃｈａｎｎｅｌ［ｉ］  １ビット、０＜＝ｉ＜＝２ｎ−１
を有し、第１要素は、そのとき復号化される必要がある形状又は輪郭が存在するか否かを表し、第２要素は、ｉが０と２ｎ−１との間の値をとるような値［ｉ］によりアドレスされるチャネルが存在するか否かを表す。
【００１１】
これらの３つの解決方法のいずれを用いると、ｖｉｄｅｏ＿ｏｂｊｅｃｔ＿ｌａｙｅｒ＿ｓｈａｐｅ構文要素はもはや、ビットストリームにおいて提供されることはない。
【００１２】
本発明は又、連続的な映像対象物平面（ＶＯＰ）に副分割される連続的シーンに対応する映像シーケンスを符合化するための装置であって、映像対象物（ＶＯ）の構成要素として前記シーケンスの各々のシーンを構成するための手段と、前記ＶＯの各々の形状、動き及びテクスチャを符合化するための手段と、それ故、前記ビットストリームのコンテンツの要素全てを認識し且つ復号化することを可能にするビットストリーム構文により各々のデータアイテムが記述される符合化映像データを有する単一符合化ビットストリームにおいて得られる、符合化基本ストリームを多重化するための手段と、を有し、前記装置は前記ビットストリームのコンテンツを記述するために遭遇することができる種々の付加チャネルの存在を前記符合化ビットストリームの高度記述レベルにおいて表す特定情報を前記符合化ビットストリームに導入するための手段を有するか否かを更に特徴付ける、装置に関する。
【００１３】
本発明は又、連続的な映像対象物平面（ＶＯＰ）に副分割される連続的シーンに対応するシーケンスに適用される符合化方法により生成される符合化ビットストリームを有する伝送可能映像信号であって、前記シーンの映像対象物全てを符合化するために生成される前記符合化ビットストリームは、前記ビットストリームのコンテンツの要素全てを認識し且つ復号化することが可能であるビットストリーム構文により各々のデータアイテムが記述される符合化映像データを有し、前記コンテンツは分離したチャネルについて記述され、前記信号は、前記符合化ビットストリームが又この符合化ビットストリームにおける高度記述レベルにおいて前記ビットストリームのコンテンツを記述するために遭遇することができる種々の付加チャネルの存在を表す特定の情報を有するか否かを更に特徴付ける、
伝送可能映像信号に関する。
【００１４】
本発明は又、連続的な映像対象物平面（ＶＯＰ）に副分割される連続的シーンに対応する映像シーケンスに適用される符合化方法により生成される符合化ビットストリームを有する映像信号を受信し且つ復号化するための装置であって、前記シーンの映像対象物全てを符合化するために生成される前記符合化ビットストリームは、前記ビットストリームのコンテンツの要素全てを認識し且つ復号化することを可能にするビットストリーム構文により各々のデータアイテムが記述される符合化映像データを有し、前記コンテンツは分離したチャネルについて記述され、前記符号化ビットストリームは、前記ビットストリームのコンテンツを記述するために遭遇することができる種々の付加チャネルの存在をこの符合化ビットストリームにおける高度記述レベルにおいて表す特定の情報を更に有する、装置に関する。
【発明を実施するための最良の形態】
【００１５】
上記のようなビット数の消耗の問題を解決するために、本発明に従って、付加チャネルの可能な存在についての表示を符合化ビットストリームに導入することを提案している。この表示は、本発明に従って、少なくとも映像対象物レイヤ（ＶＯＬ）ＭＰＥＧ−４レベルに同等の高度記述レベルにおいて導入された特定の情報を有する。
【００１６】
この付加記述段階は、ここで表されるような例に対して実施される。次のような構文要素が規定される。
（ａ）      “ｖｉｄｅｏ＿ｏｂｊｅｃｔ＿ｌａｙｅｒ＿ｓｈａｐｅ”      １ビット
（ｂ）      “ｎｕｍｂｅｒ＿ｏｆ＿ｖｉｄｅｏ＿ｏｂｊｅｃｔ＿ｌａｙｅｒ＿ａｄｄｉｔｉｏｎａｌ＿ｃｈａｎｎｅｌ＿ｄｅｓｃｒｉｐｔｉｏｎｓ”            ｎビット
（ｃ）      “ｖｉｄｅｏ＿ｏｂｊｅｃｔ＿ｌａｙｅｒ＿ａｄｄｉｔｉｏｎａｌ＿ｃｈａｎｎｅｌｓ［ｉ］”                                        １ビット
これらの要素の意味する意味論は次のようである。
（ａ）ｖｉｄｅｏ＿ｏｂｊｅｃｔ＿ｌａｙｅｒ＿ｓｈａｐｅ：この１ビットフラグは、形状（又は、輪郭）チャネルの存在を表す（１に設定される場合、輪郭チャネルが存在して、復号化される必要がある一方、そうでない場合、形状又は輪郭の記述は期待できない）。
（ｂ）ｎｕｍｂｅｒ＿ｏｆ＿ｖｉｄｅｏ＿ｏｂｊｅｃｔ＿ｌａｙｅｒ＿ａｄｄｉｔｉｏｎａｌ＿ｃｈａｎｎｅｌ＿ｄｅｓｃｒｉｐｔｉｏｎｓ：このｎ個の符号なしの整数は、符合化ビットストリームにおいて存在する付加チャネル構文要素の数を表す。
（ｃ）ａｄｄｉｔｉｏｎａｌ＿ｃｈａｎｎｅｌ＿ｎｕｍｂｅｒ：この整数は０とｎｕｍｂｅｒ＿ｏｆ＿ｖｉｄｅｏ＿ｏｂｊｅｃｔ＿ｌａｙｅｒ＿ａｄｄｉｔｉｏｎａｌ＿ｃｈａｎｎｅｌ＿ｄｅｓｃｒｉｐｔｉｏｎｓとの間にある値をとる。
（ｄ）ｖｉｄｅｏ＿ｏｂｊｅｃｔ＿ｌａｙｅｒ＿ａｄｄｉｔｉｏｎａｌ＿ｃｈａｎｎｅｌｓ［ａｄｄｉｔｉｏｎａｌ＿ｃｈａｎｎｅｌ＿ｎｕｍｂｅｒ］：この１ビットフラグは、ａｄｄｉｔｉｏｎａｌ＿ｃｈａｎｎｅｌ＿ｎｕｍｂｅｒの値［ｉ］によりアドレスされるチャネルが存在するか否かを示す。
【００１７】
ｖｉｄｅｏ＿ｏｂｊｅｃｔ＿ｌａｙｅｒ＿ａｄｄｉｔｉｏｎａｌ＿ｃｈａｎｎｅｌ［ａｄｄｉｔｉｏｎａｌ＿ｃｈａｎｎｅｌ＿ｎｕｍｂｅｒ］と関連するチャネルの構文との間の対応性は、表（所定の例において、ｎ＝４）においてＮＡＣと呼ばれるｎｕｍｂｅｒ＿ｏｆ＿ｖｉｄｅｏ＿ｏｂｊｅｃｔ＿ｌａｙｅｒ＿ａｄｄｉｔｉｏｎａｌ＿ｃｈａｎｎｅｌ＿ｄｅｓｃｒｉｐｔｉｏｎｓの値１乃至２ｎに対して、次の表において与えられている。
【００１８】
【表１】
2005522116.tif 000003
従って、本発明に従った提案は、ｖｉｄｅｏ＿ｏｂｊｅｃｔ＿ｌａｙｅｒに対する構文の修正バージョンに導く。文書ｗ３０５６の３６ページにおいて、次のような構文要素が加えられている（第１５行以下）。
【００１９】
【表２】
2005522116.tif 000004
種々のタイプの対象物に対する実行（チャネル存在の記述＋対応する構文）の例が与えられ、輝度チャネルの存在がビットストリームにおいて表される場合にのみ、クロミナンスチャネルの存在を表す構文要素は復号化される。
（ａ）４：２：２色付き矩形状シーケンス：
ｖｉｄｅｏ＿ｏｂｊｅｃｔ＿ｌａｙｅｒ＿ｓｈａｐｅ：                    ０
ｎｕｍｂｅｒ＿ｏｆ＿ｖｉｄｅｏ＿ｏｂｊｅｃｔ＿ｌａｙｅｒ＿ａｄｄｉｔｉｏｎａｌ＿ｃｈａｎｎｅｌ＿ｄｅｓｃｒｉｐｔｉｏｎｓ：                        １
ｖｉｄｅｏ＿ｏｂｊｅｃｔ＿ｌａｙｅｒ＿ｌｕｍ：                        １
ｖｉｄｅｏ＿ｏｂｊｅｃｔ＿ｌａｙｅｒ＿ｃｈｒｏｍ：              １
（ｂ）輪郭を有する不透明な対象物を有するがテクスチャを有しない白黒シーン：
ｖｉｄｅｏ＿ｏｂｊｅｃｔ＿ｌａｙｅｒ＿ｓｈａｐｅ：                    １
ｎｕｍｂｅｒ＿ｏｆ＿ｖｉｄｅｏ＿ｏｂｊｅｃｔ＿ｌａｙｅｒ＿ａｄｄｉｔｉｏｎａｌ＿ｃｈａｎｎｅｌ＿ｄｅｓｃｒｉｐｔｉｏｎｓ：                        ０
（ｃ）不透明形状（又は、輪郭）を有する４：２：２白黒対象物：
ｖｉｄｅｏ＿ｏｂｊｅｃｔ＿ｌａｙｅｒ＿ｓｈａｐｅ：                    １
ｎｕｍｂｅｒ＿ｏｆ＿ｖｉｄｅｏ＿ｏｂｊｅｃｔ＿ｌａｙｅｒ＿ａｄｄｉｔｉｏｎａｌ＿ｃｈａｎｎｅｌ＿ｄｅｓｃｒｉｐｔｉｏｎｓ：                        １
ｖｉｄｅｏ＿ｏｂｊｅｃｔ＿ｌａｙｅｒ＿ｌｕｍ：                        １
ｖｉｄｅｏ＿ｏｂｊｅｃｔ＿ｌａｙｅｒ＿ｃｈｒｏｍ：              ０
（ｄ）透明アルファ平面を有する４：２：２色付き矩形状対象物：
ｖｉｄｅｏ＿ｏｂｊｅｃｔ＿ｌａｙｅｒ＿ｓｈａｐｅ：                    ０
ｎｕｍｂｅｒ＿ｏｆ＿ｖｉｄｅｏ＿ｏｂｊｅｃｔ＿ｌａｙｅｒ＿ａｄｄｉｔｉｏｎａｌ＿ｃｈａｎｎｅｌ＿ｄｅｓｃｒｉｐｔｉｏｎｓ：                        ２
ｖｉｄｅｏ＿ｏｂｊｅｃｔ＿ｌａｙｅｒ＿ｌｕｍ：                        １
ｖｉｄｅｏ＿ｏｂｊｅｃｔ＿ｌａｙｅｒ＿ｃｈｒｏｍ：              １
ｖｉｄｅｏ＿ｏｂｊｅｃｔ＿ｌａｙｅｒ＿ｔｒａｎｓｐａｒｅｎｃｙ：      １
（ｅ）深度を有する４：２：２矩形状対象物：
ｖｉｄｅｏ＿ｏｂｊｅｃｔ＿ｌａｙｅｒ＿ｓｈａｐｅ：                    ０
ｎｕｍｂｅｒ＿ｏｆ＿ｖｉｄｅｏ＿ｏｂｊｅｃｔ＿ｌａｙｅｒ＿ａｄｄｉｔｉｏｎａｌ＿ｃｈａｎｎｅｌ＿ｄｅｓｃｒｉｐｔｉｏｎｓ：                        ５
ｖｉｄｅｏ＿ｏｂｊｅｃｔ＿ｌａｙｅｒ＿ｌｕｍ：                        １
ｖｉｄｅｏ＿ｏｂｊｅｃｔ＿ｌａｙｅｒ＿ｃｈｒｏｍ：                １
ｖｉｄｅｏ＿ｏｂｊｅｃｔ＿ｌａｙｅｒ＿ｔｒａｎｓｐａｒｅｎｃｙ：      ０
ｖｉｄｅｏ＿ｏｂｊｅｃｔ＿ｌａｙｅｒ＿ｄｉｓｐａｒｉｔｙ：            ０
ｖｉｄｅｏ＿ｏｂｊｅｃｔ＿ｌａｙｅｒ＿ｔｅｘｔｕｒｅ：                ０
ｖｉｄｅｏ＿ｏｂｊｅｃｔ＿ｌａｙｅｒ＿ｄｅｐｔｈ：                    １
次のような２つの代替の構文が又、提供されることが可能である
【００２０】
【表３】
2005522116.tif 000005
【００２１】
【表４】
2005522116.tif 000006
上記のような映像符合化方法は、例えば、動き補償フレーム間推定を用いてＭＰＥＧ符号化器の例を示す、例えば、図１において示される符合化器のような符合化器において実施されることが可能である。このような符号化器は、符合化段階と予測段階とを有する。符合化段階自体は、一連のモード判定回路１１（ＭＰＥＧにおいて規定されるような符合化モードＩ、Ｐ又はＢの選択を判定するための）と、ＤＣＴ回路１２と、量子化回路１３と、可変長符合化回路１４及びバッファ１５と、量子化回路１３の量子化ステップサイズを制御することが可能であるフィードバック接続において備えられるレート制御回路１６と、を有する。予測段階は、動き補償回路２２が後に続く動き推定回路２１と、直列状態にある、逆量子化回路２３と、逆ＤＣＴ回路２４及び加算器２５と、予測段階の出力において（即ち、動き補償回路２２の出力において）利用可能である予測信号と符号化器の入力信号ＩＳとの間の差を符合化段階に送ることが可能である減算器２６と、を有する。この差、即ち残差は、符合化されるビットストリームである。動き推定回路２１により決定される動きベクトルは、マルチプレクサの出力において出力符合化ビットストリームＣＢの形態で多重化されるように、バッファ１５の出力信号と共にマルチプレクサ３１に送られる。前記ビットストリームＣＢは、本発明に従って、前記符合化ビットストリームにおいて、ビットストリームのコンテンツを記述するために復号化されることができる種々の付加チャネルの存在か否かを表す特定情報を有する符合化ビットストリームである。
【００２２】
本発明は又、そのような映像符合化器により生成される符合化ビットストリームを有する伝送可能映像信号に関する。
【００２３】
相互に、対応する復号化方法に従って、符合化ビットストリームにおける復号化側に伝送される付加構文要素は、それらを受信し且つ前記復号化方法を実行する映像復号化器における適切な手段により読み込まれる。符合化ビットストリームのコンテンツのセグメント全てを認識し且つ復号化することができる復号化器は、前記付加構文要素を読み込み、１つ又は幾つかの付加チャネルが存在するか否かを認識する。そのような復号化器は、符号化器のような、いずれのＭＰＥＧタイプとすることが可能であり、その重要な要素は、例えば、直列状態にある、符合化ビットストリームを受信する入力バッファ、ＬＶＣ復号化器、逆量子化回路及び逆ＤＣＴ回路である。符号化器及び復号化器の両方において、制御器は、符合化動作又は復号化動作の各段階を管理するために備えられる。
【００２４】
上記の、本発明の好適な実施形態についての説明は、例示及び説明目的のために行ったものである。その説明は、網羅的であること又は開示した明確な形態に本発明を限定することを意図するものではなく、本発明の範囲内に含まれるように意図され且つ当業者に明確である明らかな改善及び変形が、上記の教示に照らして可能である。
【００２５】
以上、説明した符合化器及び復号化器は、ハードウェア又はソフトウェアのたんいつのアイテムが幾つかの機能を実行することができること又はハードウェア、ソフトウェア又はそれら両方のアイテムの組み合わせが単一の機能を実行することを除くことなく、ハードウェア、ソフトウェア、又はハードウェアとソフトウェアの組み合わせにおいて実行されることができる。上記の方法及び装置は、いずれのタイプのコンピュータシステム又は他の適応された装置により実行されることができる。代表的なハードウェア及びソフトウェアの組み合わせは、ロードされ且つ実行されるとき、以上で説明した方法を実行するように、コンピュータシステムを制御するコンピュータプログラムを有する一般目的のコンピュータシステムとすることが可能である。代替として、１つ又はそれ以上の本発明の機能タスクを実行するための特定のハードウェアウォ有する特定用途コンピュータを利用することが可能である。
【００２６】
本発明は又、コンピュータプログラムプロダクトに組み込むことができ、そのコンピュータプログラムプロダクトは、コンピュータシステムにおいてロードされるとき、上記の機能及び方法を実行することができ、それらの機能及び方法の実施を可能にする特徴全てを有する。コンピュータプログラム、ソフトウェアプログラム、プログラム、プログラムプロダクト又はソフトウェアは、本明細書において、（ａ）他の言語、符号又は表記法への変換、及び／又は（ｂ）異なる素材形態における再生のどちらか又は両方の後に又は直接に、情報処理能力を有するシステムが特定の機能を実行するようにすることを意図された命令の集合の、いずれの表記法、符号又は言語において、いずれの表現を表す。
【図面の簡単な説明】
【００２７】
【図１】本発明に従った符合化方法が実施されるＭＰＥＧ符合化装置の例を示す図である。
【図１】
2005522116.tif 000007
【国際調査報告】
2005522116.tif 000008
2005522116.tif 000009
2005522116.tif 000010